(57)【特許請求の範囲】
【請求項１】
レンズを備えたカメラに取付けて用いるものであり、そのカメラで撮像する画像を拡大するための拡大用アタッチメントであって、
前記カメラに対して着脱自在に固定される本体と、
前記本体に取付けられる対物レンズと、集束レンズと、フィールドレンズとを備えているとともに、
前記対物レンズ、前記集束レンズ、及び前記フィールドレンズは、前記本体が前記カメラに取付けられたときに、
前記対物レンズは、撮像を行う対象となる撮像対象物からの像光を通過させることで、前記像光を拡大するように、
前記フィールドレンズは、前記対物レンズを通過した前記像光を通過させることで、それを通過した像光が、前記集束レンズの全体に入るように調節するように、
前記集束レンズは、前記フィールドレンズを通過した前記像光を通過させることで、それを通過した像光を、カメラのレンズの視野角と略同じかそれ以上の立体角で前記レンズの瞳に集束させるように、
それぞれ構成されている、拡大用アタッチメント。
【請求項２】
前記集束レンズは、前記対物レンズを通過した前記像光を通過させることで、それを通過した像光を、前記カメラが備える前記レンズの瞳の範囲内に、当該レンズの視野角と略同じ立体角をもって集束させるように構成されている、
請求項１記載の拡大用アタッチメント。
【請求項３】
前記フィールドレンズは、それを通過した像光を平行光とするようになっている、
請求項１記載の拡大用アタッチメント。
【請求項４】
前記本体は、前記カメラに着脱自在に固定可能な固定具に対して着脱自在に固定可能にされており、前記固定具を介して前記カメラに固定されるようになっている、
請求項１ないし３のいずれかに記載の拡大用アタッチメント。
【請求項５】
撮像を行うときに、撮像対象物に照明光を照射できる照明を備えている、
請求項１ないし４のいずれかに記載の拡大用アタッチメント。
【請求項６】
前記カメラは、カメラ付き携帯電話に取付けられたカメラである、
請求項１ないし５のいずれかに記載の拡大用アタッチメント。
【請求項７】
前記対物レンズは、前記本体から着脱自在に構成されている、
請求項１ないし６のいずれかに記載の拡大用アタッチメント。
【請求項８】
前記対物レンズ及び前記フィールドレンズは、前記本体から着脱自在に構成されている、
請求項１ないし７のいずれかに記載の拡大用アタッチメント。
【請求項９】
前記対物レンズ及び前記フィールドレンズは一体とされている、
請求項１ないし８のいずれかに記載の拡大用アタッチメント。
【発明の詳細な説明】
【技術分野】
【０００１】
本発明は、カメラに取付けて用いられる拡大用アタッチメントに関する。
【背景技術】
【０００２】
近年の携帯電話の普及には目を見張るものがある。その要因の一つとなっているのが、カメラ付き携帯電話の流行である。
【０００３】
カメラ付き携帯電話は、文字通りカメラを備えた携帯電話である。かかるカメラ付き携帯電話のカメラは、一般的な携帯電話のケースに、通常であればＣＣＤ（charge coupled device）によって形成される撮像手段を内蔵させるとともに、上記ケースの所定の位置にケースから露出するような状態で上記撮像手段に像光を導くカメラレンズを設けた構成とされている。
カメラ付き携帯電話は、このような構成によって、写真撮影を行えるようになっている。
【０００４】
カメラ付き携帯電話は、持ち歩かれる場合の多い携帯電話による手軽な写真の撮影を可能とする、という機能を備えている。カメラ付き携帯電話は、また、カメラ付き携帯電話で撮像した写真を、携帯電話が備えている電子メール機能によって実現される電子メールに添付して他者の携帯電話等に他の機器の力を借りずにそのまま送信できる、という一般のカメラにはない機能を備えている場合が多い。これらの特徴的な機能は、一般的なカメラが持たない新たな楽しさを提供するものである。
このような特徴的な機能を持つことで、カメラ付き携帯電話は、ユーザの遊び心を刺激することに成功し、写真を撮る機会の多い、特に若年層に広く普及するに至っている。
【０００５】
このような現状を見れば、カメラ付き携帯電話の更なる普及を図ろうとするには、ユーザの遊び心を更に刺激する何かがあればいいということを理解できる。
このような点を考慮し、カメラ付き携帯電話に、ユーザの遊び心を更に刺激する機能を与えるための研究が行われている。
例えば、カメラ付き携帯電話で撮像できる画像は、以前は静止画だけだったが、現在では動画やコマ送りの画像も撮像できるようになってきている。また、カメラ付き携帯電話に内蔵したメモリに所定の画像を記憶させておき、これとカメラ付き携帯電話で撮像した画像を合成するという機能が、最近のカメラ付き携帯電話には与えられている。
【０００６】
ユーザの遊び心を刺激するための一つの方策に、カメラ付き携帯電話で撮像できる画像を変化させるというものがある。その最も簡単なものは撮像できる画像の倍率を上げることである。
望遠鏡や、顕微鏡と呼べる程度の倍率の画像を撮像できるようになれば、カメラ付き携帯電話は持ち運びが簡易な望遠鏡、或いは顕微鏡になり、その用途は従来にはないものとなると予想される。
しかしながら、高倍率の画像をカメラ付き携帯電話で撮像できるようにするのは、それほど簡単ではない。
【０００７】
一般に、カメラ付き携帯電話に設けられているカメラは、主な用途である人物や景色の撮像を無難に行えるよう、カメラの備えるレンズの中でも比較的広角と呼べる視野角（一般には、６０°〜７０°である。）を持ったレンズを備えている。
その広角な視野角を持つレンズに、他の一般的には拡大レンズである対物レンズを介して像光を入れると、カメラ付き携帯電話のカメラのレンズの視野角の一部に、像光の導かれない領域ができてしまう。この部分は、像光が導かれないので、最終的な画像では黒く表示されるから、最終的な画像は黒い縁を有するものとなってしまう。つまり、カメラ付き携帯電話のカメラのレンズの前方に対物レンズをただ配するのみでは適切な撮像を行えない。
また、顕微鏡一般にいえることなのであるが、カメラ付き携帯電話のカメラを顕微鏡として使用する場合にも、焦点を撮像対象物に合わせやすくするために焦点深度を深くしてやる必要が生じる。この場合には、絞りを用いて撮像対象物からの像光を細く絞ることが必要となる。この場合、対物レンズを経てカメラ付き携帯電話のカメラのレンズに入る光の立体角は小さくなるので、カメラ付き携帯電話のカメラを顕微鏡として使用する場合には特に、上述した最終的な画像の中に黒い領域が生じるという問題が発生し易くなる。
他方、カメラ付き携帯電話以外の固定のレンズを備えたカメラに対物レンズを追加して画像を撮像したとしても、その一部に黒い部分を持った画像しか撮像できないという上述の現象は十分に起こりうる。
つまり、既存のカメラが備えるレンズの前に他の対物レンズを追加して一般には倍率を上げた画像を撮像する場合に、対物レンズを通した像光をカメラが本来的に備えていたレンズに単に導くだけでは、その一部に黒い部分を持つ（一般的には、黒い縁取りを持った）画像しか撮像できない、という上述の問題は、カメラ付き携帯電話に限らず、カメラ一般のものであるといえる。
【発明の概要】
【発明が解決しようとする課題】
【０００８】
本願発明は、カメラ付き携帯電話をはじめとするカメラで、そのカメラが本来撮像することのできる倍率よりも高い倍率で撮像を行えるようにするための拡大用アタッチメントであって、画像のない黒い部分を含まないような画像を得られるようなものを提供することを、その課題とする。
【課題を解決するための手段】
【０００９】
本願発明者は、カメラ付き携帯電話をはじめとするカメラで、そのカメラが本来撮像することのできる倍率よりも高い倍率で撮像を行えるようにするための拡大用アタッチメントについて研究を行い、画像のない黒い部分を含まない画像を得られる以下のような拡大用アタッチメントを想到するに至った。
【００１０】
本発明による拡大用アタッチメントは、カメラ付き携帯電話その他のカメラに取付けて用いられるものであり、そのカメラで撮像する画像を拡大するための拡大用アタッチメントである。
この拡大用アタッチメントは、前記カメラに対して着脱自在に固定される本体と、前記本体に取付けられた対物レンズと、集束レンズと、を備えている。
前記対物レンズ、及び前記集束レンズは、前記本体が前記カメラに取付けられたときに、前記対物レンズは、撮像を行う対象となる撮像対象物からの像光を通過させることで、前記像光を拡大するように、前記集束レンズは、前記対物レンズを通過した前記像光を通過させることで、それを通過した像光を、カメラのレンズの視野角と略同じかそれ以上の立体角で前記レンズの瞳に集束させるように、それぞれ構成されている。
この拡大用アタッチメントは、拡大画像を撮像するための対物レンズを備えており、また、上述の如き集束レンズを備えている。この集束レンズは、前記対物レンズを通過した前記像光を通過させることで、それを通過した像光を、カメラのレンズの視野角と略同じかそれ以上の立体角で前記レンズの瞳に集束させるものであるから、カメラのレンズの外周部分に像光のない部分を実質的に作らない。したがって、この拡大用アタッチメントを用いれば、既存のカメラを用いて、高倍率の画像を、画像のない黒い部分を含まない状態で撮像できるようになる。
【００１１】
本発明の拡大用アタッチメントは、前記本体に取付けられるフィールドレンズを備えていてもよい。
このフィールドレンズは、前記本体が前記カメラに取付けられたときに、前記対物レンズを通過した前記像光を通過させることで、それを通過した像光が、前記集束レンズの全体に入るように調節するようなものとされる。このとき、前記集束レンズは、前記フィールドレンズを通過した前記像光を通過させることで、それを通過した像光を、前記レンズの視野角と略同じかそれ以上の立体角で前記レンズの瞳に集束させる。
フィールドレンズは、対物レンズを通過した光を効率よく、或いは無駄なく集束レンズへ導けるように機能する。つまり、フィールドレンズがない場合、対物レンズを通過した像光は、集束レンズを通過する際におけるその径が集束レンズの径よりもずっと大きくなっていることがある。このような場合には、集束レンズを通過してカメラのレンズに集められる像光は、対物レンズを通過した像光の一部だけとなってしまうので、最終的にカメラで得られる画像の明るさが不足してしまう。フィールドレンズを持つ拡大用アタッチメントであれば、最終的に得られる画像を明るくできるようになる。
本発明の拡大用アタッチメントの前記本体には絞りが取付けられていてもよい。この絞りは、前記本体が前記カメラに取付けられたときに、前記像光を絞って焦点深度を深くするように構成される。かかる絞りは、この拡大用アタッチメントを取付けたカメラを顕微鏡として使用しようとする場合には、実際上必要となる場合が多い。本発明の拡大用アタッチメントにおける絞りは、拡大用アタッチメントが使用される状態のときに、フィールドレンズよりもレンズ寄りに配されることはない。もっとも、対物レンズよりカメラ寄りに配されること、対物レンズよりも撮像対象物寄りに配されることは、いずれもありうる。
この拡大用アタッチメントにおける集束レンズは、フィールドレンズを通過した像光をカメラが備えるレンズに、当該レンズの視野角と同じかそれ以上の立体角をもって集束させるようになっている。つまり、拡大用アタッチメントを用いて高倍率の画像を撮像する場合には、カメラのレンズの視野角の中に像光の導かれない部分が存在しなくなる。これにより、この拡大用アタッチメントで撮像される高倍率の画像は、黒い縁取りのような、画像のない黒い部分を含まないものとなる。
【００１２】
集束レンズは、上述のようなものであればその具体的な構成を問わない。
集束レンズは、例えば、前記対物レンズを通過した前記像光を通過させることで、それを通過した像光が、前記カメラが備える前記レンズの瞳の範囲内に、当該レンズの視野角と略同じ立体角をもって集束するように構成されていてもよい。このような集束レンズを持つ拡大用アタッチメントであれば、それを用いることで、無駄になる像光を減らせるので、明るい画像を得るのが比較的容易になる。
【００１３】
フィールドレンズは、上述のようなものであればその具体的な構成を問わない。
フィールドレンズは、例えば、前記対物レンズを通過した前記像光を通過させることで、それを通過した像光を平行光とするようなものとすることができる。
なお、本発明の拡大用アタッチメントを取付けたカメラが望遠鏡として使用されるのであれば、このフィールドレンズは不必要な場合が多い。本発明の拡大用アタッチメントを取付けたカメラが顕微鏡として使用される場合には、対物レンズを通過した光はその径が大きくなっていくが、本発明の拡大用アタッチメントを取付けたカメラが望遠鏡として使用される場合には、対物レンズを通過した光は径がそのままか小さくなっていく場合がほとんどなので、フィールドレンズを用いずとも、像光が無駄になることが少ないからである。
【００１４】
なお、本発明における対物レンズ、フィールドレンズ、集束レンズはともに、単一のレンズにより構成されていてもよいし、複数のレンズにより構成されていてもよい。単一のレンズと等価、又は略等価の複数のレンズを用いることは、広く行われているので、そのような周知技術を応用して単一のレンズを複数のレンズに置き換えればよい。対物レンズ、又はフィールドレンズが複数のレンズにより構成されている場合、絞りは、対物レンズを構成する複数のレンズの間、或いはフィールドレンズを構成する複数のレンズの間に設けられる場合がある。
【００１５】
本発明の拡大用アタッチメントにおける本体は、カメラに対して着脱自在に固定できる必要がある。この場合、この本体自体にカメラに着脱自在に固定可能な手段を設けることも可能である。また、本体を、前記カメラに着脱自在に固定可能な固定具に対して着脱自在に固定可能にしておき、前記固定具を介して前記カメラに固定されるようにすることも可能である。
カメラには非常に多くの種類がある。カメラ付き携帯電話は特にそうである。また、カメラ付き携帯電話は買い換えが頻繁に行われがちである。
このような事情を考えると、拡大用アタッチメントにおけるカメラとの固定をなすための手段に何らかの工夫をしておかないと、拡大用アタッチメントを取付けるべきカメラ（或いはカメラ付き携帯電話）が別の物に代わったときに、拡大用アタッチメントのカメラへの固定を行えなくなるおそれがある。様々なカメラに拡大用アタッチメントを取付けるには、カメラに対する着脱自在な固定を行うための別個の手段をカメラ毎に準備しておく必要があるが、この手段が本体に固定されていると、別個のカメラに拡大用アタッチメントを取付けるには、拡大用アタッチメント全体の買い替えが必要になってしまう。上述の如き固定具を用い、これを介して拡大用アタッチメントがカメラに固定される上述の後者の構成を採用しておけば、拡大用アタッチメントと固定具との固定をなすための構造が同一である限り、固定具の買い替えだけで、別個のカメラに拡大用アタッチメントを取付けられるようになるから、ユーザの経済的負担を抑えられるようになる。
【００１６】
前記対物レンズは、前記本体から着脱自在に構成してもよい。
或いは、本発明の拡大用アタッチメントの本体を、２つの部分に分離して設け、そして、本体の２つの部分は互いに着脱自在にし、且つ前記本体の２つの部分の一方に前記対物レンズを、前記本体の２つの部分の他方には前記集束レンズをそれぞれ固定するような構成にしてもよい。
拡大用アタッチメントを用いて撮像する場合において、撮像する画像の倍率を変えたい場合には、対物レンズを変更する必要がある。しかしながら、そのような場合であっても、集束レンズは変更の必要がない。上述のように、本体を分離可能としておけば、上述した本体の他方の部分を共通にするとともに、上述した本体の一方の部分を複数のものとする（異なる対物レンズを有する複数のものとする）ことができる。このようにすれば、拡大用アタッチメントを用いて様々な画像を撮像するときに必要なコストを下げることができるようになる。なお、この場合、絞りがあるのであれば、それは、上述した本体の一方の部分に取付けられる。
また、前記対物レンズ及び前記フィールドレンズは、前記本体から着脱自在に構成されていてもよい。この場合、前記対物レンズ及び前記フィールドレンズは一体とされていてもよい。
或いは、本発明の拡大用アタッチメントの本体を、２つの部分に分離して設け、そして、本体の２つの部分は互いに着脱自在にし、且つ前記本体の２つの部分の一方に前記対物レンズ及びフィールドレンズを、前記本体の２つの部分の他方には前記集束レンズをそれぞれ固定するような構成にしてもよい。こうすれば、上述の場合と同様に、拡大用アタッチメントを用いて様々な画像を撮像するときに必要なコストを下げることができるようになる。
【００１７】
本発明の拡大用アタッチメントは、撮像を行うときに、撮像対象物に照明光を照射できる照明を備えていてもよい。
高倍率の撮像を行うには照明が不可欠である。このような照明を備える拡大用アタッチメントであれば、他の照明器具を用いずに手軽に高倍率の画像の撮像を行えるようなものとなる。これは、常に同じ条件下での撮像が必要とされる場面で有効である。
また、高倍率の画像を撮像する場合には、倍率の大小に応じて照明を変えることが必要になる。拡大用アタッチメントに、上述の如き照明が備えられていれば、その照明をその拡大用アタッチメントで撮像する際に用いるに相応しいものとしておくことにより、その自前の照明によって適切な撮像を行えるようになる。
【図面の簡単な説明】
【００１８】
【図１（ａ）】本発明の実施形態によるカメラ付き携帯電話用アタッチメントに取付けられるカメラ付き携帯電話のケースの開いた状態を示す斜視図。
【図１（ｂ）】図１（ａ）に示したカメラ付き携帯電話のケースの２つの部分をユニバーサルジョイントの部分で捻った状態を示す図。
【図１（ｃ）】図１（ａ）に示したカメラ付き携帯電話のケースの閉じた状態を示す図。
【図１（ｄ）】図１（ａ）に示したカメラ付き携帯電話のケースが閉じ、且つ撮像を行うために蓋の開いた状態を示す図。
【図２】本発明の実施形態によるカメラ付き携帯電話用アタッチメントの各部を示す図。
【図３】本発明の実施形態によるカメラ付き携帯電話用アタッチメントのベースの一例を示す図。
【図４】本発明の実施形態によるカメラ付き携帯電話用アタッチメントの拡大部を示す図。
【図５】本発明の実施形態によるカメラ付き携帯電話用アタッチメントの顕微鏡としての使用状態を示す図。
【図６】本発明の実施形態によるカメラ付き携帯電話用アタッチメントの手持ちタイプの顕微鏡としての使用状態を示す図。
【図７】本発明の実施形態によるカメラ付き携帯電話用アタッチメントを使用して撮像を行う場合の像光の振舞いを示す図。
【図８】本発明の実施形態によるカメラ付き携帯電話用アタッチメントを使用して撮像を行う場合の像光の振舞いを示す図。
【図９】本発明の変形例１によるカメラ付き携帯電話用アタッチメントを使用して撮像を行う場合の像光の振舞いを示す図。
【図１０】本発明の変形例２によるカメラ付き携帯電話用アタッチメントを使用して撮像を行う場合の像光の振舞いを示す図。
【図１１】本発明の変形例３によるカメラ付き携帯電話用アタッチメントにおける鏡筒を示す透視斜視図。
【発明を実施するための形態】
【００１９】
以下、図面を参照して、本発明の好ましい一実施形態を説明する。
本実施形態における拡大用アタッチメントは、以下のカメラ付き携帯電話用アタッチメント１の一部をなす。拡大用アタッチメントは、カメラに対して取付けた状態で用いるものであるが、この実施形態における拡大用アタッチメントが取付けられるカメラは、カメラ付き携帯電話４０（図１（ａ）参照のこと。）となっている。
【００２０】
カメラ付き携帯電話用アタッチメント１は、カメラ付き携帯電話４０と組み合わせて用いられる。
この実施形態におけるカメラ付き携帯電話４０は、図１（ａ）に示したように、ケースを備えている。ケースは、カメラの設けられた部分４０Ａと、設けられていない部分４０Ｂとに分けられており、両者をユニバーサルジョイントにより接続してなる。このケースは、ユニバーサルジョイントの部分で二つ折りにできるようにされ、必要に応じて開閉できるようになっている。また、このケースは、ユニバーサルジョイントを軸として２つの部分の一方を他方に対して捻ることができるようにされている。
このカメラ付き携帯電話４０は、この実施形態では、マイクロフォンとスピーカとそれらを制御する回路によって実現されるごく一般的な電話機能に加えて、電子メールを送受信するためのメール機能を少なくとも備えている。これらの機能を実現するため、このカメラ付き携帯電話４０は、ディスプレイ４１及び図示しないアンテナを備え、ＣＰＵ、ＲＯＭ、ＲＡＭ、インタフェイスなどのハードウエアを内蔵しているが、これらはこの種のカメラ付き携帯電話に限らず、携帯電話に一般的なものなので、その説明を省略する。
なお、ディスプレイ４１は、カメラ付き携帯電話４０を構成する他方のケース４０Ｂの前面側（カメラ付き携帯電話４０を閉じた際の外側）に設けられている。一方のケース４０Ａと他方のケース４０Ｂは、図１（ｂ）に示すように、他方のケース４０Ｂが、一方のケース４０Ａと接続された一端側を中心として回転できるように接続されており、カメラ付き携帯電話４０を閉じた状態においても、ケースの一方４０Ａを他方４０Ｂに対して１８０°捻っておくことで、ディスプレイ４１を外部から視認できるようになっている。
カメラ付き携帯電話４０は、また、カメラを備えている。カメラは、図示しない撮像素子と、カメラレンズ４２とを備えている。
撮像素子は、カメラレンズ４２を介して撮像対象物から導かれた像光による撮像を行うものであり、この実施形態では、ＣＣＤにより構成されている。カメラレンズ４２は、複数のレンズの組み合わせによって構成されていても構わないが、この実施形態では、一つのレンズにより構成されている。このカメラ付き携帯電話４０のカメラの撮像素子で撮像される画像は、カメラ付き携帯電話４０単独で撮像が行われる場合には、縮小的画像となるようにされている。なお、ここでいう縮小的画像とは、撮像素子よりも大きなものを縮小して撮像素子へと写りこませるものをいう。
カメラレンズ４２は、図１（ｄ）に示すように、カメラ付き携帯電話４０を構成する一方のケース４０Ａの背面側（カメラ付き携帯電話４０を閉じた際の外側）に設けられている。このカメラレンズ４２は、常に露出しているのではなく必要に応じて露出するようになっている。この実施形態におけるカメラ付き携帯電話４０には、カメラレンズ蓋４３が取付けられており、図１（ｃ）に示すように、カメラを使用しないときには、このカメラレンズ蓋４３がカメラレンズ４２を覆い隠すようになっている。このカメラレンズ蓋４３は、ケース４０Ａに対してスライド可能とされており、カメラを使用するときには、これをカメラ付き携帯電話４０の長さ方向にスライドさせることにより、カメラレンズ４２を露出させることができるようになっている。
また、カメラレンズ４２の傍には、カメラによる撮像が行われるときに撮像対象物に照明光を照射することのできるカメラ照明４４が設けられている。
このようなカメラ付き携帯電話４０としては、例えば、株式会社ＮＴＴドコモにより販売されている携帯電話である”ムーバＳＯ５０５ｉ”（商標）を用いることができる。
【００２１】
このようなカメラ付き携帯電話４０に取付けて用いるカメラ付き携帯電話用アタッチメント１を、図２ないし図５に示す。
カメラ付き携帯電話用アタッチメント１は、これをカメラ付き携帯電話４０と組み合わせた状態で、カメラ付き携帯電話４０のカメラが備える撮像素子にて撮像される画像を拡大画像とするものである。この実施形態では、カメラ付き携帯電話４０は、顕微鏡として使用されることになる。
【００２２】
このカメラ付き携帯電話用アタッチメント１は、図２の斜視図に示すように、カメラ付き携帯電話４０を着脱自在に固定するベース１０と、撮像対象物を拡大する拡大部２０と、ベース１０を支持するスタンド３０と、を備えている。
ベース１０と、拡大部２０と、スタンド３０は、一体にされていても構わないが、この実施形態では、ベース１０と拡大部２０、およびベース１０とスタンド３０は、着脱自在に構成されている。
なお、拡大部２０が本発明における拡大用アタッチメントに当たる。
【００２３】
図２（ａ）は、上述のカメラ付き携帯電話４０を着脱することができるベース１０を示している。
ベース１０は、閉じた状態のカメラ付き携帯電話４０と固定可能なものであり、本発明における固定具の一例に相当するものである。
このベース１０は、断面略Ｌ字状となるように曲折された板状体の幅方向の両端部にリブを設けた形状となっている。
ベース１０の幅は、カメラ付き携帯電話４０の幅よりも若干広い程度となっている。
ベース１０のうち最も面積が広い部分である底面板１０Ａには、ベース１０にカメラ付き携帯電話４０を取付けた際に、カメラレンズ４２が対応する位置にカメラ孔１１が、カメラ照明４４と対応する位置にライト孔１２が、それぞれ設けられている。
これらカメラ孔１１及びライト孔１２はカメラ付き携帯電話４０をベース１０に取付けた際に、カメラレンズ４２とカメラ照明４４を底面板１０Ａから露出させるためのものである。本実施形態では、カメラ孔１１に、後述する拡大部２０の突出部２８を嵌め込むことによって、拡大部２０のベース１０に対する着脱自在な取付けが実現されるようになっている。
この実施形態におけるカメラ孔１１は、略円形とされている孔１１ａに、切り欠き部１１ｂが等間隔をあけて三箇所に設けられた歯車のような形状になっている。各切り欠き部１１ｂ間の略中央には、直方体形状の係止片１６が孔１１ａに接するようにして設けられている。
また、ライト孔１２は、円形とされている。
【００２４】
カメラ孔１１の径はカメラレンズ４２の視野を確保するに充分なものとされているが、カメラレンズ４２の視野を確保でき、且つカメラ照明４４からの光の蹴られが生じないのであれば、カメラ孔１１はその大きさ、形状を自由に変更することができる。また、ライト孔１２は円形とされているが、カメラ照明４４からの光の蹴られを生じないのであれば、ライト孔１２の大きさ、形状は自由に選択することができる。
更にいえば、カメラ孔１１とライト孔１２は、一連の孔であっても構わない。
【００２５】
ベース１０の底面板１０Ａと連なる矩形の板状の部分である背面１０Ｂの外側には、直方体形状の部材１３が設けられており、そしてこの直方体部材１３には、底面板１０Ａの長さ方向に沿う向きでカメラネジナット１４が穿設されている。直方体部材１３は、背面１０Ｂの厚さを増してカメラネジナット１４を設けることができるだけの厚みを作り出すためのものである。
なお、本願明細書において「カメラネジナット」の語は、一般的にカメラネジと呼ばれているボルト、ナットのうちのナットを意味し、「カメラネジボルト」の語は、一般的にカメラネジと呼ばれているボルト、ナットのうちのボルトを意味するものとする。カメラネジは、一般的には、１／４インチネジ（１／４  ２０ＵＮＣの規格）である。
【００２６】
ベース１０の底面板１０Ａの両側方には、カメラ付き携帯電話４０を着脱可能に固定するための２本の弾性片１５が設けられている。弾性片１５は、底面板１０Ａの幅方向の両側方に、底面板１０Ａの長さ方向での位置が一致するようにして設けられている。これには限られないが、弾性片１５は、弾性を有する樹脂によって形成された細い板状体であり、底面板１０Ａから垂直な方向に延設され、且つその先端を相手側の弾性片１５の方向に向けて曲折された形状となっている。
なお、この弾性片１５は、ベース１０の底面板１０Ａの周縁上に少なくとも一つ設けられていればよい。係止力を上げるためには、複数設けることもできる。
弾性片１５の曲折された部分と底面板１０Ａとの間に、カメラ付き携帯電話４０を、カメラレンズ４２が設けられている面を底面板１０Ａに向けて嵌め込むことによって、ディスプレイ４１を、底面板１０Ａの反対側に露出させ、かつカメラレンズ４２を底面板１０Ａのカメラ孔１１から露出させた状態で、ベース１０にカメラ付き携帯電話４０を取付けることができる。この状態を、図５に示す。かかる取付けは、着脱自在なものである。
なお、ベース１０は、上述のものに限られない。カメラが使えるような状態でカメラ付き携帯電話４０との固定を行え、且つ拡大部２０との着脱自在な固定を行えるようになっていればどのようなものでも構わない。また、ベース１０は、例えば磁力により、カメラ付き携帯電話４０に固定できるようなものであってもよい。
【００２７】
なお、本実施形態のカメラ付き携帯電話用アタッチメント１は、異なる形状のベース１０を複数有している。これは、異なるカメラ付き携帯電話４０へのベース１０の固定を可能にするためである。
図３は、二つ折りタイプではないカメラ付き携帯電話６０に対応するベースの一例を示したものである。このベース７０は、基本的構成において上記に説明したベース１０と変わらないが、底面板及び弾性片７５の形状や、カメラ孔及びライト孔の位置、形状などが、カメラ付き携帯電話６０に適合するように構成されている。
本実施形態のカメラ付き携帯電話用アタッチメント１は、このような異なる形状のベースを複数有しているので、使用するカメラ付き携帯電話に合わせて対応するベースに付け替えることができ、複数のカメラ付き携帯電話に対応することができる。
【００２８】
図２（ｂ）は、本実施形態におけるカメラ付き携帯電話用アタッチメント１の拡大部２０を示しており、図４は、その一部透視図を示している。
この拡大部２０は、鏡筒２２を有するレンズケース２３、撮像対象物へ所定の照明光を照射する照明２４、照明電源２５、これらを内包するケーシング２６、および当接部２７を有している。
【００２９】
ケーシング２６は、上述のように、レンズケース２３、照明２４、および照明電源２５を内包するものであり、本実施形態では、樹脂製である。
このケーシング２６は、その一端側が開口しており、略直方体とされた筒状体である。
このケーシング２６の側面には、照明電源２５の電源スイッチ２９が設けられており、この電源スイッチ２９をユーザが切り換えることによって、照明電源２５の点灯状態を制御できるようになっている。
【００３０】
レンズケース２３は、上述のように、鏡筒２２を有する。
鏡筒２２の内部には、対物レンズ２１Ａ、フィールドレンズ２１Ｂ、及び集束レンズ２１Ｃが収納されている。
これら対物レンズ２１Ａ、フィールドレンズ２１Ｂ、及び集束レンズ２１Ｃはそれぞれ、この実施形態では１枚のレンズにより構成されているが、対物レンズ２１Ａ、フィールドレンズ２１Ｂ、及び集束レンズ２１Ｃの少なくとも一つが、複数のレンズを組合わせて構成されたものとなっていても構わない。対物レンズ２１Ａ、フィールドレンズ２１Ｂ、又は集束レンズ２１Ｃが複数のレンズで構成されるとき、対物レンズ２１Ａ、フィールドレンズ２１Ｂ、又は集束レンズ２１を構成する複数枚のレンズは、密着していても、隙間を空けて配列されていても構わない。
対物レンズ２１Ａは、撮像対象物からの像光を通過させることで、像光を拡大するものである。これにより、カメラは、拡大した画像の撮像を行えるようになる。この実施形態では、対物レンズ２１Ａは１００倍の対物レンズとされている。
フィールドレンズ２１Ｂは、対物レンズ２１Ａを通過した像光を通過させることで、それを通過した像光が、集束レンズ２１Ｃの全体に入るように調節するような機能を持つ。この実施形態におけるフィールドレンズ２１Ｂは、集束レンズ２１Ｃと同じ径にされており、それを通過した像光の集束レンズ２１Ｃに至ったときの径が、集束レンズ２１Ｃの径に等しくなるようにされている。なお、この実施形態では、集束レンズ２１Ｃは、フィールドレンズ２１Ｂと同径とされているので、フィールドレンズ２１Ｂを通過した像光の集束レンズ２１Ｃに至ったときの径が、集束レンズ２１Ｃの径に等しくなるようにされているということは、フィールドレンズ２１Ｂは、それを通過させた対物レンズ２１Ａからの像光を平行光にする機能を有することを意味する。
集束レンズ２１Ｃは、フィールドレンズ２１Ｂを通過した像光を通過させることで、それを通過した像光を、カメラレンズ４２の瞳に、当該カメラレンズ４２の視野角以上の立体角をもって集束させるものである。なお、この実施形態では、集束レンズ２１Ｃは、フィールドレンズ２１Ｂと同径とされている。この実施形態では、集束レンズ２１Ｃは、それを通過した像光を、カメラレンズ４２の瞳に、当該カメラレンズ４２の視野角と略同一の立体角をもって集束させるものとなっている。なお、集束レンズ２１Ｃは、それを通過した像光がカメラレンズ４２の瞳の範囲内に集束させられるようになっていてもよい。
鏡筒２２の内部には、また、絞り２１Ｄが配されている。絞り２１Ｄは、像光の径を絞るものであり、カメラで撮像が行われる際における焦点深度を深くする機能を有している。図４における絞り２１Ｄは、対物レンズ２１Ａよりも撮像対象物側に位置するように描かれているが、対物レンズ２１Ａとフィールドレンズ２１Ｂの間に位置する場合もある。また、対物レンズ２１Ａ又はフィールドレンズ２１Ｂが複数枚のレンズにより構成されている場合には、絞り２１Ｄは、対物レンズ２１Ａ又はフィールドレンズ２１Ｂを構成する複数枚のレンズの間に位置する場合がある。
【００３１】
レンズケース２３は、ケーシング２６内に固定されている。レンズケース２３は、ケーシング２６をベース１０に後述するような方法で取付けた際に、ベース１０から露出しているカメラレンズ４２の光軸と、対物レンズ２１Ａ、フィールドレンズ２１Ｂ、及び集束レンズ２１Ｃの光軸とが一致するように、且つその一端側をケーシング２６の他端側に突出させるようにされている。
レンズケース２３のうちケーシング２６から突出している部分を突出部２８と呼ぶことにするが、この突出部２８の先端部分の周縁には、一定間隔をあけた三箇所に突起２３ａが設けられている。突出部２８は、平面視で外歯車のような形状になっている。突起２３ａの厚みは、係止片１６の高さと略等しくされている。
この突出部２８の先端部分の輪郭形状は、カメラ孔１１の輪郭形状と略同一となっており、その大きさはカメラ孔１１よりも僅かに小さくされている。それ故、この突出部２８の先端部分は、カメラ孔１１に挿入できるようになっている。
なお、突出部２８の、突起２３ａの図４における下面までの長さは、ベース１０の底面板１０Ａの厚みよりも少し長くなっている。
【００３２】
拡大部２０のベース１０への取付けは、この突出部２８の先端部分をレンズ孔１１に挿入させた状態で、突起２３ａが係止片１６に触れるまで図２のＡ方向に拡大部２０を回転させて行う。
【００３３】
照明２４は、撮像対象物に対して所定の照明光を照射するものであり、この実施形態では、ＬＥＤによって構成されている。この照明２４は、ケーシング２６内に固定されている。
なお、この照明２４は、照明電源２５の電源スイッチ２９によって点灯が制御されるようになっている。
照明電源２５は、照明２４の電源となるものであり、この実施形態では、乾電池が使用されている。この照明電源２５は、本実施形態では、レンズケース２３と隣り合うようにして、ケーシング２６内に固定されている。
【００３４】
当接部２７は、本実施形態では、断面陸上トラック型の筒形状になっており、その外周の径がケーシング２６の開口部分の内周の径と略等しくされることで、ケーシング２６の内周との間に略隙間のない状態で、ケーシング２６の内側に光軸方向にスライド可能に嵌められている。
この当接部２７を、光軸方向と平行に、カメラ付き携帯電話４０から遠ざかる方向に移動させて、ケーシング２６から露出させ、その一部（この実施形態ではその先端）を撮像対象物（或いはその周囲）に当接させると、撮像対象物から対物レンズ２１Ａまでの光学距離を位置決めできる。当接部２７は、上述の位置決めをさせた状態で、撮像対象物に、カメラレンズ４２と、対物レンズ２１Ａ、フィールドレンズ２１Ｂ、集束レンズ２１Ｃとを組み合わせた場合によるピント位置が合うように構成されている。
よって、当接部２７をケーシング２６から露出させた状態で当接部２７を撮像対象物に当接させれば、ピントの合った状態で撮像対象物の撮像を行えるようになる。
【００３５】
本実施形態のカメラ付き携帯電話用アタッチメント１により、カメラ付き携帯電話４０を手持ちタイプの顕微鏡として使用する際には、後述するように、この当接部２７の先端を撮像対象物に当接させる。
また、カメラ付き携帯電話４０を一般的なスタンド固定タイプの顕微鏡として使用する際には、当接部２７を、光軸方向と平行に上に移動させてケーシング２６内部に収納することにより、当接部２７が撮像の邪魔にならないようにすることができる。
【００３６】
この実施形態のカメラ付き携帯電話用アタッチメント１は、複数の拡大部２０を有している。これら拡大部２０はそれぞれレンズケース２３と、照明２４を備えているが、レンズケース２３のそれぞれに含まれる対物レンズ２１Ａの倍率と、照明の種類は、それぞれ異なるものとなっている。
これら複数の拡大部２０には、それぞれ所定の倍率を備えた対物レンズ２１Ａと、この対物レンズ２１Ａを用いて行う拡大撮像の際に適切な照明を行える照明２４とが内包されている。
このように、この実施形態のカメラ付き携帯電話用アタッチメント１における拡大部２０は、対物レンズ２１Ａと、それを用いて撮像を行うに適切な照明２４とを一体にした状態とされ、且つ複数準備されているので、適当な拡大部２０をベース１０に対して取付けるだけで適当な倍率での拡大撮像を行えるのみならず、その倍率を与える対物レンズ２１Ａに最適な組合わせの照明２４が自動的に選択される。
【００３７】
なお、拡大部２０を複数用意するのではなく、拡大部２０からレンズケース２３を取り外せるようにして、他の異なる倍率を備えた対物レンズ２１Ａを有するレンズケース２３に付け替えることができるように拡大部２０を構成してもよい。すなわち、異なる倍率を備えた対物レンズ２１Ａを内部に有する複数のレンズケース２３を準備するようにしてもよい。これにより、適当なレンズケース２３をケーシング２６に対して取付けるだけで適当な倍率での拡大撮像を行えるようになる。
この場合には、異なる複数の照明２４を準備しておき、レンズケース２３を付けかえる度に、そのレンズケース２３に含まれる対物レンズ２１Ａに合った照明２４に照明２４を交換するようにしてもよい。或いは、そのレンズケース２３に含まれる対物レンズ２１Ａで撮像を行うに適した照明２４をレンズケース２３に対して固定しておくこともできる。このようにすれば、適当なレンズケース２３をケーシング２６に対して取付けるだけで、適当な倍率での拡大撮像を行えるのみならず、その倍率を与える対物レンズ２１Ａに最適な照明２４の組合わせを得られることになる。
【００３８】
図２（ｃ）は、本実施形態におけるカメラ付き携帯電話用アタッチメント１のスタンド３０を示している。これは、主に、カメラ付き携帯電話４０を顕微鏡として用いる場合に使用されるものである。他方、カメラ付き携帯電話４０を望遠鏡として用いる場合には、このスタンド３０は使用されない。
スタンド３０は、ベース１０を支持するものであり、伸縮アーム３１と、脚台３２と、カメラネジボルト３３と、を有している。
脚台３２は、地面等に当接させてカメラ付き携帯電話用アタッチメント１全体を支えるものであり、本実施形態では、板状形状をしている。
伸縮アーム３１は、薄板形状の内筒３１Ａと、内筒３１Ａを内包する薄板形状の外筒３１Ｂと、アームネジ３１Ｃと、を有し、これらはラック方式により、アームネジ３１Ｃを回すことでスライド自在に上下に連結されている。
以上のような構成により、アームネジ３１Ｃを一方向に回すと、伸縮アーム３１が伸び、逆方向に回すと、伸縮アーム３１が縮むようになっている。
この伸縮アーム３１は、脚台３２に対して略垂直になるように、内筒３１Ａの端部が脚台３２の所定の位置に固定されている。脚台３２と反対側に位置する、外筒３１Ｂの端部には、図示しないカメラネジナットが穿設されている。
【００３９】
スタンド３０とベース１０は、図５に示すように、カメラネジナット１４に、カメラネジボルト３３を螺合することにより固定され、アームネジ３１Ｃを回すことで、ベース１０が上下方向、すなわち光軸方向と平行に移動できるようになっている。
【００４０】
次に、このカメラ付き携帯電話用アタッチメント１の使用方法について説明する。
【００４１】
まず、第１の使用方法では、図５に示すように、カメラ付き携帯電話４０をカメラ付き携帯電話用アタッチメント１に取付けて使用する。この場合、カメラ付き携帯電話４０は顕微鏡として用いられる。
この場合、ベース１０と、拡大部２０（撮像対象物に適した倍率の対物レンズ２１Ａを含む拡大部２０）と、スタンド３０を、上述した方法で、図２、及び図５に示した状態に組上げておき、そのベース１０にカメラ付き携帯電話４０を固定するとよい。
その状態で、カメラ付き携帯電話４０が備えるカメラレンズ４２を利用すると共に、ディスプレイ４１に撮像対象物を拡大して表示し、カメラ付き携帯電話４０を顕微鏡として利用する。
具体的には、スタンド３０の脚台３２の上に撮像対象物を置いた状態で、アームネジ３１Ｃを回すことにより、拡大部２０と撮像対象物との間の距離を調節し、ピントを合わせる。また、拡大部２０の電源スイッチ２９を操作して、照明２４を点灯させ、照明２４によって対物レンズ２１Ａに適切な照明を与える。
このようにすることで、ディスプレイ４１には、対物レンズ２１Ａの存在により、撮像素子で撮像される画像が拡大画像となって表示される。
なお、カメラ付き携帯電話４０を顕微鏡として使用する上述の如き場合には、当接部２７を、光軸方向と平行に上に移動させてケーシング２６内部に収納することにより、撮像の妨げにならないようにする。
【００４２】
このようにして、カメラ付き携帯電話４０を顕微鏡として利用することができる。撮像自体は、カメラ付き携帯電話４０のカメラが本来持っている機能で行うことができる。
撮像により得られた画像についてのデータは、使用するカメラ付き携帯電話４０の機能にもよるが、カメラ付き携帯電話４０が備える内部メモリに記録したり、カメラ付き携帯電話４０から外部へ出力したり、或いはカメラ付き携帯電話４０が備える電子メール機能を用いて送信したりすることによって利用することができる。
カメラ付き携帯電話４０を顕微鏡として利用する必要がなくなったら、カメラ付き携帯電話用アタッチメント１からカメラ付き携帯電話４０を取り外す。
【００４３】
次に、このカメラ付き携帯電話用アタッチメント１の第２の使用方法について説明する。
このカメラ付き携帯電話用アタッチメント１の第２の使用方法は、図６に示すように、カメラ付き携帯電話４０および拡大部２０を取付けた状態のベース１０を、手で把持して使用する場合である。こうすれば、カメラ付き携帯電話４０を、手持ちタイプの顕微鏡として使用することができる。なお、この場合には、スタンド３０は使用されない。
この場合には、ベース１０に、カメラ付き携帯電話４０を、図６に示したように嵌め込む。このとき、カメラ付き携帯電話４０の長さ方向の一端を、背面１０Ｂに当接させるようにする。この状態で、カメラ付き携帯電話４０のカメラレンズ４２は、カメラ孔１１を通して底面板１０Ａから露出することになる。
次いで、ベース１０に、拡大部２０を、図６に示したように取付ける。
そして、当接部２７を拡大部２０から引出し、引出した当接部２７の先端を撮像対象物に当接させて撮像を行う。
このようにして行われる撮像は、当接部２７の先端を撮像対象物に当接した状態で行われるので、手振れの問題が生じにくい。また、上述したように、拡大部２０から出された当接部２７の先端の位置は、ピント位置に合致するようになっているので、当接部２７先端の孔の周囲を撮像対象物に当接させれば、その孔の中に位置する撮像対象物に対してピントを自動的に合わせることができる。
【００４４】
上述の如きカメラ付き携帯電話用アタッチメント１を用いて、拡大した画像の撮像を行うときの像光の振舞いについて図７と図８を用いて説明を行う。
図７、及び図８は、上述したカメラ付き携帯電話用アタッチメント１を用いて拡大した画像の撮像を行う場合における拡大部２０を側面から見た透視図である。
図７は倍率５０倍の拡大画像をカメラ付き携帯電話４０のカメラに撮らせる場合を、図８は倍率２００倍の拡大画像をカメラ付き携帯電話４０のカメラに撮らせる場合を示している。
図７で示した場合も、図８で示した場合も、カメラ付き携帯電話４０の本体４０Ｘに開けられたカメラレンズ４２を露出させるための孔の側から、集束レンズ２１Ｃ、フィールドレンズ２１Ｂ、及び対物レンズ２１Ａが、これらの光軸がカメラレンズ４２の光軸と一致した状態で、一直線に配列される。また、図７の場合では、対物レンズ２１Ａよりもカメラレンズ４２から遠い位置に、中心に孔の開いたドーナツ形状の絞り２１Ｄが、図８の場合では、対物レンズ２１Ａとフィールドレンズ２１Ｂの間に、絞り２１Ｄが配される。
この状態で撮像を行うと、撮像対象面Ｓからの光が、カメラレンズ４２の瞳４２Ｘに集束することになる。なお、図７、図８では、撮像対象面Ｓ上の異なる点からの像光をそれぞれ、点線、破線、一点鎖線の３種の線で示している。また、図７、及び図８では、瞳４２Ｘに向かう光の半分（図７、及び図８の上半分）のみを図示している。
図７で示した場合、撮像対象面Ｓからの像光は、絞り２１Ｄを通って細く絞られてから、対物レンズ２１Ａへと向かう。この像光は、対物レンズ２１Ａを通過して拡大され、フィールドレンズ２１Ｂへと向かい、平行光となって集束レンズ２１Ｃへと向かう。そして、像光は、集束レンズ２１Ｃを通過することで集束され、カメラレンズ４２の瞳４２Ｘに集束する。集束レンズ２１Ｃを通過した像光が瞳４２Ｘの範囲内に入る場合における瞳４２Ｘを頂点とした立体角は、カメラレンズ４２の視野角と略同一となっている。
図８で示した場合、撮像対象面Ｓからの像光は、対物レンズ２１Ａへと向かう。この像光は、対物レンズ２１Ａを通過して拡大され、絞り２１Ｄを通って細く絞られてから、フィールドレンズ２１Ｂへと向かい、平行光となって集束レンズ２１Ｃへと向かう。この像光は、集束レンズ２１Ｃを通過することで集束され、カメラレンズ４２の瞳４２Ｘに集束する。集束レンズ２１Ｃを通過した像光が瞳４２Ｘに入る場合における瞳４２Ｘを頂点とした立体角は、カメラレンズ４２の視野角と略同一となっている。
このようにして、カメラ付き携帯電話４０のカメラで、画像のない黒い部分を含まないような高倍率の画像を得られることになる。
【００４５】
≪変形例１≫
以上説明したカメラ付き携帯電話用アタッチメント１の変形例１を、図９を用いて説明する。
この変形例１におけるカメラ付き携帯電話用アタッチメントは、基本的に、これまでに説明したカメラ付き携帯電話用アタッチメント１と同様に構成されている。
変形例１におけるカメラ付き携帯電話用アタッチメントが、これまでに説明したカメラ付き携帯電話用アタッチメント１と異なるのは、これまでに説明したカメラ付き携帯電話用アタッチメント１における対物レンズ２１Ａ、フィールドレンズ２１Ｂ、集束レンズ２１Ｃのそれぞれが一枚のレンズで構成されていたのに対して、この変形例１におけるカメラ付き携帯電話用アタッチメントでは、対物レンズ２１Ａ、フィールドレンズ２１Ｂ、集束レンズ２１Ｃがそれぞれ、複数枚のレンズによって構成されているという点にある。もっとも、複数枚のレンズを組合わせて構成された上記対物レンズ２１Ａ、フィールドレンズ２１Ｂ、集束レンズ２１Ｃは、１枚のレンズで構成された上述の対物レンズ２１Ａ、フィールドレンズ２１Ｂ、集束レンズ２１Ｃと同等の機能を持つものとなっているので、このカメラ付き携帯電話用アタッチメントを用いて画像の撮像を行うときの像光の振舞いは、図９に示したように、上述のカメラ付き携帯電話用アタッチメント１を用いて、拡大した画像の撮像を行ったときの像光の振舞いと変わりない。
図９には、対物レンズ２１Ａ、フィールドレンズ２１Ｂ、集束レンズ２１Ｃが複数枚のレンズで構成された場合における像光の振舞いが示されている。なお、図９では、撮像対象面Ｓ上の異なる点からの像光をそれぞれ異なる６種類の、点線、破線などで示している。また、図９では、瞳４２Ｘに向かう光の半分（図９の上半分）のみを図示している。
図９（ａ）で示しているのは、拡大倍率が２５倍のとき、同（ｂ）で示しているのは、拡大倍率が１００倍のとき、同（ｃ）で示しているのは、拡大倍率が２００倍のときである。
なお、図９（ｃ）の場合には、絞りが設けられていない。
【００４６】
≪変形例２≫
次に、以上説明したカメラ付き携帯電話用アタッチメント１の変形例２を、図１０を用いて説明する。
変形例２によるカメラ付き携帯電話用アタッチメントは、基本的に、上述のカメラ付き携帯電話用アタッチメント１と同様に構成されている。
変形例２におけるカメラ付き携帯電話用アタッチメントが、これまでに説明したカメラ付き携帯電話用アタッチメント１と異なるのは、これまでに説明したカメラ付き携帯電話用アタッチメント１における対物レンズ２１Ａ、フィールドレンズ２１Ｂ、集束レンズ２１Ｃのうち、フィールドレンズ２１Ｂが存在しない点、及びそれぞれが一枚のレンズで構成されていた対物レンズ２１Ａ及び集束レンズ２１Ｃが変形例１の場合と同様に複数枚のレンズによって構成されているという点にある。変形例２におけるカメラ付き携帯電話用アタッチメントにおける対物レンズ２１Ａは、これを用いることで、カメラ付き携帯電話のカメラにより１０倍望遠での撮像を行えるようなものとされている。
なお、この場合、カメラ付き携帯電話用アタッチメント１のスタンド３０は使用されない。
このカメラ付き携帯電話用アタッチメントを用いて画像の撮像を行うときの像光の振舞いは、図１０に示したようになる。この場合の像光の振舞いは、基本的には、上述のカメラ付き携帯電話用アタッチメント１を用いて拡大した画像の撮像を行ったときの像光の振舞いと変わりない。対物レンズ２１Ａを通過した光は、そのまま、集束レンズ２１Ｃに到達し、カメラレンズ４２の瞳４２Ｘに集束する。
図１０は、対物レンズ２１Ａ、集束レンズ２１Ｃが複数枚のレンズで構成された場合における像光の振舞いを示す図である。なお、図１０では、撮像対象面Ｓ上の異なる点からの像光をそれぞれ異なる６種類の、点線、破線などで示している。また、図１０では、瞳４２Ｘに向かう光の半分（図１０の上半分）のみを図示している。
【００４７】
≪変形例３≫
次に、以上説明したカメラ付き携帯電話用アタッチメント１の変形例３を、図１１を用いて説明する。
変形例３によるカメラ付き携帯電話用アタッチメント１は、基本的に、上述のカメラ付き携帯電話用アタッチメント１と同様に構成されている。
変形例３におけるカメラ付き携帯電話用アタッチメントが、これまでに説明したカメラ付き携帯電話用アタッチメント１と異なるのは、変形例３のカメラ付き携帯電話用アタッチメントでは、その鏡筒２２ないしレンズケース２３が、２つの部分に分離するようになっている点にある。
図１１は、変形例３におけるカメラ付き携帯電話用アタッチメントにおける鏡筒２２を示す図である。このカメラ付き携帯電話用アタッチメントにおける鏡筒２２は、図１１に示したように、２つの部分２２Ａ、２２Ｂに分離されている。これら２つの部分２２Ａ、２２Ｂは、また、着脱自在にされている。この実施形態では、２つの部分２２Ａ、２２Ｂの対向する部分の一方側の外周と、他方側の内周にそれぞれネジ切りがされており、２つの部分２２Ａ、２２Ｂを互いに螺合させられるようにすることで、２つの部分２２Ａ、２２Ｂを着脱自在にしている。
これら２つの部分２２Ａ、２２Ｂのうちの一方の部分である部品２２Ａには集束レンズ２１Ｃが、他方の部分である部品２２Ｂには対物レンズ２１Ａ、フィールドレンズ２１Ｂ、及び絞り２１Ｄがそれぞれ配されている。
この実施形態では、適当な対物レンズ２１Ａと、フィールドレンズ２１Ｂと、絞り２１Ｄとを内蔵させた部品２２Ｂが複数用意されている。ユーザは、撮像倍率などに関する所望する撮像条件に基づいて、その部品２２Ｂを交換することができる。フィールドレンズ２１Ｂからの光が平行光となっている限り、部品２２Ｂを交換しても、集束レンズ２１Ｃを通過した像光は、カメラレンズ４２の瞳４２Ｘに導かれる。
【符号の説明】
【００４８】
１    カメラ付き携帯電話用アタッチメント
１０、７０  ベース
１０Ａ  底面板
１０Ｂ  背面
１１  カメラ孔
１１ａ  孔
１１ｂ  切り欠き部
１２  ライト孔
１３  直方体部材
１４  カメラネジナット
１５、７５  弾性片
１６  係止片
２０  拡大部
２２  鏡筒
２３  レンズケース
２３ａ  突起
２４  照明
２５  照明電源
２６  ケーシング
２７  当接部
２８  突出部
２９  電源スイッチ
３０  スタンド
３１  伸縮アーム
３２  脚台
３３  カメラネジボルト
４０、６０  カメラ付き携帯電話
４１  ディスプレイ
４２  カメラレンズ
４３  カメラレンズ蓋
４４  カメラ照明
【図１（ａ）】
0005408675.tif 000002
【図１（ｂ）】
0005408675.tif 000003
【図１（ｃ）】
0005408675.tif 000004
【図１（ｄ）】
0005408675.tif 000005
【図２】
0005408675.tif 000006
【図３】
0005408675.tif 000007
【図４】
0005408675.tif 000008
【図５】
0005408675.tif 000009
【図６】
0005408675.tif 000010
【図７】
0005408675.tif 000011
【図８】
0005408675.tif 000012
【図９】
0005408675.tif 000013
【図１０】
0005408675.tif 000014
【図１１】
0005408675.tif 000015